(57)【要約】  本発明は、パッケージ表面のすべり易さを低減して利便性を向上させることを目的とする。パッケージは、たばこ商品を収容するパッケージであって、表面の少なくとも一部に、ウレタン樹脂と水とを主成分とする水溶性ワニスが塗布された領域を含む。
2016038674.tif 000002
【特許請求の範囲】
【請求項１】
たばこ商品を収容するパッケージであって、
表面の少なくとも一部に、ウレタン樹脂と水とを主成分とする水溶性ワニスが塗布された領域を含む
パッケージ。
【請求項２】
前記ワニスが塗布された領域のステンレスとの摩擦係数は、０．２ないし０．５である
請求項１に記載のパッケージ。
【請求項３】
前記ワニスが塗布された領域の前記摩擦係数は、０．２ないし０．４である
請求項１又は２に記載のパッケージ。
【請求項４】
前記ワニスは、０．５ｃｍ２以上の連続する領域に塗布されている
請求項１から３のいずれか一項に記載のパッケージ。
【請求項５】
前記パッケージは、開閉自在な蓋部を有するハードパッケージであり、
前記ワニスは前記蓋部の少なくとも一部に塗布されている
請求項１から４のいずれか一項に記載のパッケージ。
【請求項６】
前記パッケージは、ソフトパッケージであり、
前記ワニスは互いに平行な２面のそれぞれ少なくとも一部に塗布されている
請求項１から４のいずれか一項に記載のパッケージ。
【請求項７】
前記パッケージの全体を被覆する被覆材をさらに備える
請求項１から６のいずれか一項に記載のパッケージ。
【発明の詳細な説明】
【技術分野】
【０００１】
本発明は、パッケージに関する。
【背景技術】
【０００２】
たばこ等の商品を包装するパッケージには、表面にワニスを塗布することがある。パッケージに限らずワニスを印刷する技術として、耐摩擦性を向上させつつマット部とグロス部を設ける技術が提案されている（例えば、特許文献１）。また、ニスを凸状に印刷した凸層を設けることで、フィルムで包装しても水濡れ模様が現れないようにする技術が提案されている（例えば、特許文献２）。
【先行技術文献】
【特許文献】
【０００３】
【特許文献１】特開２００４−１１４６５４号公報
【特許文献２】国際公開第２０１３／０４２１８７号パンフレット
【発明の概要】
【発明が解決しようとする課題】
【０００４】
従来のワニスを塗布したパッケージは、表面の摩擦係数が０．０５ないし０．１５程度と低いため、例えば蓋を開閉する際にすべり易くなったり、パッケージの外側をさらにフィルムで包装する場合にフィルムが抜け落ち易くなるおそれがある。【０００５】
本発明はこのような問題に鑑みてなされてものであって、パッケージ表面のすべり易さを低減し、利便性を向上させることを目的とする。
【課題を解決するための手段】
【０００６】
上記課題を解決するために、本発明に係るパッケージは、たばこ商品を収容するパッケージであって、表面の少なくとも一部に、ウレタン樹脂と水とを主成分とする水溶性ワニスが塗布された領域を含む。【０００７】
ウレタン樹脂を含む水溶性ワニスを採用することにより、塗布された領域の摩擦係数を高めることができる。すなわち、ワニスが塗布された領域は、使用者がパッケージを扱う際にすべり止めとして機能し、利便性が向上する。【０００８】
また、ワニスが塗布された領域の摩擦係数は、ステンレスとの摩擦係数が０．２ないし０．５であってもよい。このような摩擦係数の範囲であれば、すべり止めとして好ましい。【０００９】
また、ワニスが塗布された領域の摩擦係数は、０．２ないし０．４であってもよい。摩擦係数が特にこのような範囲であれば、包装機でパッケージを組み立てる上で好ましいものとなる。【００１０】
また、ワニスは、０．５ｃｍ２以上の連続する領域に塗布されていてもよい。このようにすれば、すべり止めの効果が向上する。【００１１】
また、パッケージは、開閉自在な蓋部を有するハードパッケージであり、ワニスは蓋部の少なくとも一部に塗布されていてもよい。このようにすれば、使用者が蓋を開閉する際にすべり止めとして機能し、利便性が向上する。【００１２】
パッケージは、ソフトパッケージであり、ワニスは互いに平行な２面のそれぞれ少なくとも一部に塗布されていてもよい。ソフトパッケージの場合、互いに平行な２面にワニスが塗布されている方が、すべり止めの効果が向上する。【００１３】
また、パッケージの全体を被覆する被覆材をさらに備えるようにしてもよい。このような場合は、被覆材の一部を除去して開封するようなときに、残った被覆材がパッケージから抜け落ちてしまうことを抑制できる。【００１４】
また、本発明における課題を解決するための手段は、可能な限り組み合わせて採用することができる。
【発明の効果】
【００１５】
本発明によれば、パッケージ表面のすべり易さを低減し、利便性を向上させることができる。
【図面の簡単な説明】
【００１６】
【図１】閉蓋状態のハードパッケージの一例を示す斜視図である。
【図２】開蓋状態のハードパッケージの一例を示す斜視図である。
【図３】摩擦係数の測定を説明するための模式的な図である。
【図４】正面側斜め上から見たソフトパッケージの一例を示す斜視図である。
【図５】背面側斜め上から見たソフトパッケージの一例を示す斜視図である。
【発明を実施するための形態】
【００１７】
本発明に係るパッケージの実施形態について、図面に基づいて説明する。以下に示す実施形態は例示であり、本発明の技術的範囲を以下の態様に限定するものではない。
【００１８】
例えば、パッケージは、ハードボックス型パッケージ、ソフトパッケージ、その他の様々なパッケージを用いることができる。以下の実施形態ではたばこ商品を収容する場合を例に説明する。たばこ商品には、紙巻たばこ（フィルタシガレット、両切たばこ（フィルタ無し））、シガー（葉巻）、シガリロ、電子たばこ、無煙たばこ（かみたばこ、かぎたばこ）等を含む。
【００１９】
＜パッケージの構成＞
図１及び図２は、実施形態に係るハードボックス型パッケージ（単に「パッケージ」とも呼ぶ）１の斜視図である。図１は、蓋を閉じた状態を示しており、図２は、蓋を開けた状態を示している。パッケージ１は、本体２と蓋部３とからなるほぼ直方体形状である。本体２の背面上部にあるヒンジ４を軸として蓋部３が開閉自在になっている。
【００２０】
なお、図１にも方向を示すように、本体２と蓋部３とが接続されているヒンジ４の設けられた面をパッケージ１の背面とし背面が向く方向を後とする。また、その反対側の面を正面（前面）とし、正面が向く方向を前とする。また、蓋部３が設けられ、開蓋時に現れる本体２の開口部から収容物を取り出す方向の面を上面（天面）、その反対側の面を底面とし、上面及び底面が向く方向をそれぞれ上及び下とする。また、パッケージ１を正面から見たときの左右の面を、それぞれ左側面、右側面とする。
【００２１】
また、図１に示すように、パッケージ１は、開封前の状態において、全体がフィルム５で覆われている。フィルム５には、パッケージ１の前面、左側面、背面及び右側面を１周するように開封テープ（テアテープ）６が貼付されている。開封テープは、フィルム５を開封する際に引き裂く位置を規定し、フィルム５の開封性を向上させるものである。使用者は開封テープ６の一端を摘まみ、開封テープ６に沿ってフィルム５を引き裂くことができる。図２は、開封後のパッケージ１を表しており、上側のフィルムが除去され、蓋部３とその周辺の本体２が露出している。また、図２に示すように、パッケージ１の内部には、たばこ商品をアルミ蒸着紙で包装した被収容物７が収容されている。
【００２２】
パッケージ１の正面には、本実施形態に係るワニスが塗布されている。図１及び図２では、ワニスが塗布されたワニス領域８に斜線（ハッチング）を付している。ワニスは、例えば印刷によって任意の部分に塗布することができる。なお、ワニスの下又は上には、銘柄や社名等、所定の情報や模様等がインキ等によって印刷されていてもよい。また、ワニスが重ねて印刷されるようにしてもよい。このように印刷のパターンを変化させることによって、フィルムの抜け落ちを防止することができるだけでなく、外観や触感を変化させることができ、例えばブランドイメージの表現の幅が広がる。
【００２３】
本実施形態に係るワニスは、例えば、ウレタン樹脂（ポリウレタン）と水とを主成分とする水溶性のワニスである。また、ワニスの印刷後、乾燥して硬化した状態において、ステンレスとの摩擦係数が０．２〜０．５となる。なお、ウレタン樹脂の含有量を増やすことで、上記の摩擦係数を上げることができるため、硬化後の摩擦係数が所定程度となるウレタン樹脂の含有量（含有割合）も決まる。このように、ウレタン樹脂と水とを主成分とするワニスであれば、特殊な模様やパターンを印刷することなく、塗布した領域の摩擦係数を変化させることができる。また、ワニスは無色であってもよいし、顔料を含めることで有色としてもよい。
【００２４】
このようなパッケージ１によれば、使用者が蓋部３を開閉する際に、使用者の指がすべることが抑制され、使い易さが向上する。このように、当該ワニスによれば、ユニバーサルデザインの観点からも、パッケージ１が好ましいものとなる。なお、蓋部３に対する指の滑りを抑制するためには、おおむね０．５ｃｍ２以上の連続する面積にワニスを塗布することが好ましい。また、正面、背面、左側面又は右側面等の蓋部３以外にワニスを塗布する場合も、使用者がパッケージを扱う際にすべり止めとして機能する。
【００２５】
なお、摩擦係数は、荷重を２００ｇとした、ステンレスに対する、全面に上記ワニスを塗ったパッケージの紙材の摩擦係数を測定した値である。ここで、摩擦係数の測定方法について説明する。図３は、摩擦係数の測定方法を説明するための模式的な図である。本実施形態では、いわゆる引張型の摩擦係数試験機を用いて動摩擦係数又は静摩擦係数を求める。図３には、ロードセル１０１と、ステンレステーブル１０２と、本実施形態に係るワニスを塗布した紙材である試験片１０３と、ＳＬＥＤ１０４と、ワイヤ１０５とが示されている。ロードセル１０１は、ワイヤ１０５でＳＬＥＤ１０４と連結されており、ＳＬＥＤ１０４は１５０ｍｍ／ｍｉｎの速度で矢印の方向に引っ張られる。なお、ロードセル１０１は、最大荷重が２０Ｎである。一方、ステンレステーブル１０２上には試験片１０３が載置され、試験片１０３の上にはＳＬＥＤ１０４がさらに載置されている。ステンレステーブル１０２は、主たる成分としてニッケル及びクロムを含むオーステナイト系のＳＵＳ３０４（ＪＩＳ  Ｇ４３０４，ＪＩＳ  Ｇ４３０５）からなり、表面は平滑加工されている。試験片１０３は、ステンレステーブル１０２と接触する面の大きさが、６３．５ｍｍ×６３．５ｍｍであり、ステンレステーブル１０２と接触する面にはワニスが塗布されている。また、ＳＬＥＤ１０４は、２００ｇである。以上のような測定条件のもとで、ステンレステーブル１０２と試験片１０３との接触面のずれが発生してから所定長だけ引いた際の動摩擦力ＦＤ（Ｎ）と、ＳＬＥＤ１０４の質量によって生じる法線力ＦＰ（Ｎ）とを用いて、動摩擦係数μＤは次式で求められる。
μＤ＝ＦＤ／ＦＰ
また、ステンレステーブル１０２と試験片１０３とのずれが発生するときの最大静止摩擦力Ｆ０（Ｎ）とＳＬＥＤ１０４の質量によって生じる法線力ＦＰ（Ｎ）とを用いて、静摩擦係数μＳは次式で求められる。
μＳ＝Ｆ０／ＦＰ
【００２６】
また、パッケージ１とフィルム５との間でもすべり易さが低減される。すなわち、パッケージ１の一部をフィルム５が被覆する図２のような状態において、フィルム５がパッケージ１から抜け落ちることが抑制される。特に内容物であるたばこ商品が減り、パッケージが撓みやすくなってしまう場合や、フィルム包装におけるシュリンク（フィルムの収縮による密着）が十分でない場合や、カバンやポケットに入れて持ち運ぶ場合にフィルムは抜けやすい。ここで、フィルム５が抜け落ちてしまうと、パッケージ１が水にぬれたような場合における被収容物の保護性能が低下する。また、被収容物７の香味の揮発を抑制する効果や、内部からたばこ刻の粉がこぼれ落ちるのを抑制する効果も低減されてしまう。したがって、上記ワニスによってフィルム５の抜け落ちを抑制すれば、被収容物７の品質保持性能の向上につながる。
【００２７】
また、上記のワニスは、視感が低光沢のいわゆる艶消し（マット調）であり、しっとりとした触感になっている。このようなワニスを図案や模様の一部としてパッケージ１に施すことで、デザイン性を向上させるようにしてもよい。例えば、上面又は底面にワニスを塗布し、デザイン的に統一を図ることができる。また、塗布する形状やパターンを変更することで、異なる触感を与えることもできる。なお、ワニスは、衛生上、又は使用者に不快感を与えないよう、接触後に指への違和感が残らないような触感とすることが望ましい。ウレタン樹脂の含有量が増加するとこのような触感となるところ、上述の摩擦係数の範囲であれば問題ない。
【００２８】
また、包装機でパッケージを組み立てる場合、摩擦係数が高すぎるとパッケージブランク成形の繰り出しや、成形途中のパッケージの受け渡し等の工程に障害が生じることがある。包装機の機種やパッケージの構造、組立てる速度等によっても影響を受けるが、製箱工程においては、摩擦係数は０．２〜０．４程度がより好ましい。
【００２９】
また、フィルム５の抜け落ちを抑制するためには、比較的しっかりとした剛性を有するハードパッケージの場合、フィルムとパッケージ表面の接触面積を確保しやすいため、前面、背面等のいずれか１面以上の少なくとも一部にワニスを塗布することが好ましい。一方、ハードパッケージと比べると剛性の低いソフトパッケージの場合、外力等によって容易に形状が変形してしまうためフィルムとパッケージ表面の接触面積を確保できない虞がある。そのため、ソフトパッケージでは、フィルム５の抜け落ちを抑制するために、前面及び背面のように直方体の平行な２面のそれぞれ少なくとも一部にワニスを塗布することがより好ましい。また、十分なすべり止めの効果を得るためには、０．５ｃｍ２程度の連続する領域にワニスが塗布されていることが好ましい。
【００３０】
図４及び図５は、ソフトパッケージ１Ａの正面及び背面のそれぞれ一部にワニスを塗布した例を示している。図４は、一方（便宜上、正面側とする）から見たソフトパッケージ１Ａの斜視図である。図５は、その反対側（便宜上、背面側とする）から見たソフトパッケージ１Ａの斜視図である。ソフトパッケージ１Ａは、正面及び背面の上下にわたって左右方向中央に、ワニス領域８を有している。このような構成のソフトパッケージの場合を採用するようにしてもよい。これによってフィルムとパッケージ表面の接触面積を十分に確保できるようになり、フィルムの抜け落ちをより確実に抑制することができる。
【００３１】
＜その他の変形＞
パッケージには、様々な紙材や樹脂材料等を用いることができる。例えばハードパッケージの場合、例えばカード紙やマニラボール紙等の紙材が好適に用いられるが、これに限定されるものではない。例えば、パッケージの材料として、プラスチック等の樹脂材料は勿論のこと、金属材料などその他の材料を用いるようにしてもよい。
【００３２】
また、パッケージの表面には、インキ等による印刷の他、エンボス加工、パイル（短繊維）を用いたフロッキー加工等を施すようにしてもよい。これらの加工は上記ワニスの下層に施すようにしてもよいし、上記ワニスの領域とは分けた領域に施すようにしてもよい。
【００３３】
フィルム５は、パッケージ１を包装する被覆材の一例である。被覆材として、例えば高分子フィルム、紙とフィルムの貼り合せ紙、アルミ蒸着紙とフィルムの貼り合せ紙等の積層材料等を用いるようにしてもよい。高分子フィルムの具体的としては、ポリプロピレン（ＰＰ）、ポリエチレン（ＰＥ）、セロファン等が挙げられる。
【符号の説明】
【００３４】
１  パッケージ
２  本体
３  蓋部
４  ヒンジ
５  フィルム
６  開封テープ（テアテープ）
７  被収容物
８  ワニス領域
【図１】
2016038674.tif 000003
【図２】
2016038674.tif 000004
【図３】
2016038674.tif 000005
【図４】
2016038674.tif 000006
【図５】
2016038674.tif 000007
【国際調査報告】
2016038674.tif 000008
2016038674.tif 000009
2016038674.tif 000010
2016038674.tif 000011